(57)【特許請求の範囲】
【請求項１】
設計対象とする伝送路の反射特性の反射規定値と前記伝送路の特性インピーダンス分布の制約条件を取得する取得部と、
入力された特性インピーダンス分布から反射特性を算出する反射特性算出部と、前記取得部が取得した前記反射規定値に基づいて前記反射特性算出部が算出した反射特性を修正する反射特性修正部と、前記反射特性修正部が修正した反射特性から特性インピーダンス分布を算出する特性インピーダンス分布算出部と、前記取得部が取得した前記制約条件に基づいて前記特性インピーダンス分布算出部が算出した特性インピーダンス分布を修正し、修正した特性インピーダンス分布を前記反射特性算出部に出力する特性インピーダンス分布修正部とを有する演算処理部と、
を備えた伝送路設計支援装置。
【請求項２】
前記反射特性算出部による反射特性の算出と、前記反射特性修正部による反射特性の修正と、前記特性インピーダンス分布算出部による特性インピーダンス分布の算出と、前記特性インピーダンス分布修正部による特性インピーダンス分布の修正からなる一連の処理を前記演算処理部に繰り返し行わせる反復処理を実行する制御部
を備えたことを特徴とする請求項１に記載の伝送路設計支援装置。
【請求項３】
前記取得部は、前記制御部により実行される前記反復処理を終了させる終了条件を取得し、
前記取得部が取得した前記終了条件が満たされたことを検知し、前記制御部の反復処理を終了させる検知手段と、
前記検知手段により前記終了条件を満たされたことが検知された場合、前記反復処理において算出された前記特性インピーダンス分布を設計支援結果として出力する出力部と
を備えたことを特徴とする請求項２に記載の伝送路設計支援装置。
【請求項４】
前記反射特性算出部は、フーリエ変換により特性インピーダンス分布から反射特性を算出することを特徴とする請求項１から３のいずれか一項に記載の伝送路設計支援装置。
【請求項５】
前記特性インピーダンス分布算出部は、逆フーリエ変換により特性インピーダンス分布を算出することを特徴とする請求項１から４のいずれか一項に記載の伝送路設計支援装置。
【請求項６】
前記取得部は、特性インピーダンスが負値になる事を禁止する前記制約条件を取得することを特徴とする請求項１から５のいずれか一項に記載の伝送路設計支援装置。
【請求項７】
前記取得部は、不整合部の特性インピーダンスの値を所定の値に固定する前記制約条件を取得することを特徴とする請求項１から５のいずれか一項に記載の伝送路設計支援装置。
【請求項８】
前記取得部は、急激な特性インピーダンスの変化を禁止する前記制約条件を取得することを特徴とする請求項１から５のいずれか一項に記載の伝送路設計支援装置。
【請求項９】
前記出力部は、さらに前記伝送路の配線幅を設計支援結果として出力することを特徴とする請求項３に記載の伝送路設計支援装置。
【請求項１０】
設計対象とする伝送路の反射特性の反射規定値と前記伝送路の特性インピーダンス分布の制約条件を取得する取得ステップと、
入力された特性インピーダンス分布から反射特性を算出する反射特性算出ステップと、前記取得ステップで取得した前記反射規定値に基づいて前記反射特性算出ステップで算出した反射特性を修正する反射特性修正ステップと、
前記反射特性修正ステップで修正した反射特性から特性インピーダンス分布を算出する特性インピーダンス分布算出ステップと、
前記取得ステップで取得した前記制約条件に基づいて前記特性インピーダンス分布算出ステップで算出した特性インピーダンス分布を修正し、修正した特性インピーダンス分布を前記反射特性算出ステップの入力特性インピーダンスとする特性インピーダンス分布修正ステップと、
を有する伝送路設計支援方法。
【請求項１１】
設計対象とする伝送路の反射特性の反射規定値と前記伝送路の特性インピーダンス分布の制約条件を取得する取得ステップと、
入力された特性インピーダンス分布から反射特性を算出する反射特性算出ステップと、
前記取得ステップで取得した前記反射規定値に基づいて前記反射特性算出ステップで算出した反射特性を修正する反射特性修正ステップと、
前記反射特性修正ステップで修正した反射特性から特性インピーダンス分布を算出する特性インピーダンス分布算出ステップと、
前記取得ステップで取得した前記制約条件に基づいて前記特性インピーダンス分布算出ステップで算出した特性インピーダンス分布を修正し、修正した特性インピーダンス分布を前記反射特性算出ステップの入力特性インピーダンスとする特性インピーダンス分布修正ステップと
をコンピュータに実行させるためのプログラム。
【発明の詳細な説明】
【技術分野】
【０００１】
本発明は、信号の伝送路の設計を支援する伝送路設計支援装置及び伝送路設計支援方法に関するものである。
【背景技術】
【０００２】
プリント基板の配線を用いて高速な信号を伝送する場合、途中のコネクタを含む伝送路の特性インピーダンスが、入力回路の出力インピーダンスあるいは出力回路の入力インピーダンスと整合していないと、信号が反射し、伝送波形が劣化する要因となる。【０００３】
伝送路中の信号線の特性インピーダンスは、信号線の断面構造や材料により決まる電気パラメータであり、一般的には信号線の幅を適切に設計して特性インピーダンスを管理することにより不整合部の反射に伴う波形劣化を防止する。【０００４】
送信回路と受信回路が別々のプリント基板に実装された場合、送信回路と受信回路との接続は、それぞれの基板に実装されたコネクタと、それぞれの基板に配線されて基板上の回路とコネクタとを接続する信号線とを介して行われる。
このように、送信回路と受信回路との間を、信号線とコネクタを含む伝送路で接続する場合、送信回路および受信回路とインピーダンス整合した伝送路を設計する必要がある。信号線の特性インピーダンスは信号線幅の設計で調整することができる一方、使用するコネクタが決まっている場合は、コネクタのインピーダンスを調整することができないため、送信回路および受信回路と整合した信号線を設計して、単にそれらとコネクタとを接続しても、全体として整合性のよい伝送路を得ることはできない。【０００５】
このような課題に対して、特許文献１では、コネクタのような不整合部の両端に、長さの異なる変成器を多段接続することにより広帯域で反射の影響を抑えた伝送路を設計する技術が開示されている。
【先行技術文献】
【特許文献】
【０００６】
【特許文献１】特許６３８５３１６号公報
【発明の概要】
【発明が解決しようとする課題】
【０００７】
しかしながら、特許文献１に開示された技術では、反射の影響を抑える特性インピーダンスが一意的に決定されるため、周波数ごとに異なる反射規定値が定められているような反射規定に対応した伝送路の設計ができないという問題がある。【０００８】
本発明は上記のような課題を解決するためになされたものであり、周波数ごとに異なる反射規定値が定められた伝送路の設計を支援することができる伝送路設計支援装置を得ることを目的とする。
【課題を解決するための手段】
【０００９】
本発明に係る伝送路設計支援装置においては、設計対象とする伝送路の反射特性の反射規定値と伝送路の特性インピーダンス分布の制約条件を取得する取得部と、入力された特性インピーダンス分布から反射特性を算出する反射特性算出部と、取得部が取得した反射規定値に基づいて反射特性算出部が算出した反射特性を修正する反射特性修正部と、反射特性修正部が修正した反射特性から特性インピーダンス分布を算出する特性インピーダンス分布算出部と、取得部が取得した制約条件に基づいて特性インピーダンス分布算出部が算出した特性インピーダンス分布を修正し、反射特性算出部に出力する特性インピーダンス分布修正部とを有する演算処理部と、を備えたものである。【００１０】
本発明に係る伝送路設計支援方法においては、設計対象とする伝送路の反射特性の反射規定値と伝送路の特性インピーダンス分布の制約条件を取得する取得ステップと、入力された特性インピーダンス分布から反射特性を算出する反射特性算出ステップと、取得ステップで取得した反射規定値に基づいて反射特性算出ステップで算出した反射特性を修正する反射特性修正ステップと、反射特性修正ステップで修正した反射特性から特性インピーダンス分布を算出する特性インピーダンス分布算出ステップと、取得ステップで取得した制約条件に基づいて特性インピーダンス分布算出ステップで算出した特性インピーダンス分布を修正し、修正した特性インピーダンス分布を反射特性算出ステップの入力特性インピーダンスとする特性インピーダンス分布修正ステップと、を有するものである。
【発明の効果】
【００１１】
本発明に係る伝送路設計支援装置によれば、入力された特性インピーダンス分布から反射特性を算出する反射特性算出部と、反射規定値に基づいて反射特性算出部が算出した反射特性を修正する反射特性修正部と、反射特性修正部が修正した反射特性から特性インピーダンス分布を算出する特性インピーダンス分布算出部と、制約条件に基づいて特性インピーダンス分布算出部が算出した特性インピーダンス分布を修正し、反射特性算出部に出力する特性インピーダンス分布修正部とを有する演算処理部を備えたので、反射規定値に基づいて修正された反射特性から伝送路の特性インピーダンス分布を算出することにより、周波数ごとに異なる反射規定値が定められた伝送路の設計を支援することができる。
【図面の簡単な説明】
【００１２】
【図１】実施の形態１における伝送路設計支援装置の構成を示す構成図
【図２】実施の形態１における伝送路設計支援装置のハードウェア構成を示す構成図
【図３】実施の形態１における伝送路設計支援装置の設計対象となる伝送路を含むプリント基板の配線構成を示す構成図
【図４】実施の形態１における伝送路設計支援装置１により、伝送路の設計支援結果を求める動作を示すフローチャート
【図５】実施の形態１において伝送路の反射規定値の具体例を示す説明図
【図６】実施の形態１において設計支援結果として得られた特性インピーダンス分布の具体例を示す分布図
【図７】図６の特性インピーダンス分布に対応する反射特性を示す特性図
【発明を実施するための形態】
【００１３】
実施の形態１．
本実施の形態に係る伝送路設計支援装置１は、入力された特性インピーダンス分布から反射特性を算出し、算出された反射特性を反射規定値に基づき修正し、修正された反射特性から特性インピーダンス分布を算出し、算出された特性インピーダンス分布を制約条件に基づき修正する一連の処理を繰り返すことで、反射規定値を満たす反射特性を有し、制約条件を満たす特性インピーダンス分布を効果的に模索でき、広い周波数範囲において周波数ごとに異なる反射規定値が定められた伝送路の設計を支援するものである。
【００１４】
図１は、本実施の形態における伝送路設計支援装置１の構成を示す構成図である。
【００１５】
図１に示した伝送路設計支援装置１は、各種情報を取得する取得部２、取得部２が取得した情報に基づいて各種演算を行う演算処理部３、演算処理部３の動作を制御する制御部４、取得部２が取得した終了条件が満たされたことを検知する検知手段５、演算処理部３の演算処理結果を出力する出力部６を備える。
伝送路設計支援装置１は上記のように構成されており、以下で各部を詳細に説明する。
【００１６】
取得部２は、設計対象とする伝送路の反射規定値と当該伝送路の特性インピーダンスの制約条件を取得するものである。ここで、反射規定値とは、周波数ごとに許容される反射特性の絶対値を指定するものである。また、特性インピーダンス分布の制約条件とは、設計対象の伝送路で実現可能な特性インピーダンスの条件のことであり、例えば、負の特性インピーダンス値の禁止、特定の箇所の特性インピーダンス値の固定、急激な特性インピーダンス変化の禁止等である。
また、本実施の形態における取得部２は、当該伝送路の特性インピーダンス分布の初期分布と後述する反復処理の終了条件を取得するものである。
この取得部２はこの伝送路設計支援装置１を使用する使用者が、上述した反射規定値、制約条件、終了条件を入力する入力装置で構成してもよいし、通信機能により外部から反射規定値、制約条件、終了条件を取得する通信装置で構成してもよい。また、特性インピーダンス分布の初期分布を取得する構成は、入力装置や通信装置により外部から取得する構成に限らず、乱数等により取得部２が生成する構成としてもよい。
【００１７】
演算処理部３は、入力された特性インピーダンス分布から反射特性を算出する反射特性算出部７と、取得部２が取得した反射規定値に基づいて反射特性算出部７が算出した反射特性を修正する反射特性修正部８と、反射特性修正部８が修正した反射特性から特性インピーダンス分布を算出する特性インピーダンス分布算出部９と、取得部２が取得した制約条件に基づいて特性インピーダンス分布算出部９が算出した特性インピーダンスを修正し、反射特性算出部７に出力する特性インピーダンス分布修正部１０を備える。
【００１８】
反射特性算出部７は、入力された特性インピーダンス分布から反射特性を算出するものである。具体的な計算手法については、例えば、以下の文献１に記載されているフーリエ変換による手法を用いることができる。
文献１
Ｒｏｂｅｒｔ  Ｅ．Ｃｏｌｌｉｎ著「ＦＯＵＮＤＡＴＩＯＮＳ  ＦＯＲ  ＭＩＣＲＯＷＡＶＥ  ＥＮＧＩＮＥＥＲＩＮＧ」Ｓｅｃｏｎｄ  Ｅｄｉｔｉｏｎ、１９９２年、ｐ．３７０−３７５
【００１９】
反射特性修正部８は、取得部２が取得した反射規定値に基づいて反射特性算出部７が算出した反射特性を修正するものである。反射特性として、入力側の反射係数を用いる。これは、例えば、２端子対回路網を考え、入力側の端子対を端子１、出力側の端子を端子２としたとき、Ｓ行列の（１，１）成分Ｓ１１である。波形に対する反射による影響の指標として、反射係数の代わりに透過係数を用いたり、Ｓ行列以外の表現方法を用いてもよい。
反射特性の具体的な修正方法としては、例えば、反射規定値を超えている周波数領域の反射特性の値を反射規定値以下の適当な値に置き換える、あるいは反射規定値を超えている周波数領域の反射特性の値を所定の割合だけ小さくすることで実施する方法がある。
【００２０】
特性インピーダンス分布算出部９は、反射特性修正部８修正した反射特性から特性インピーダンス分布を算出するものである。具体的な計算手法は、反射特性算出部７と同様に、文献１に記載されている逆フーリエ変換による手法を用いることができる。
【００２１】
特性インピーダンス分布修正部１０は、取得部２が取得した特性インピーダンス分布の制約条件に基づいて、特性インピーダンス分布算出部９が算出した特性インピーダンス分布を修正するものである。特性インピーダンス分布の具体的な修正方法としては、例えば、特性インピーダンスの負値を適当な正値に置き換える、コネクタ等が実装された箇所の特性インピーダンス値を所定の値に置き換える、急激な特性インピーダンス値の変化を緩やかな変化に修正する等の方法がある。
【００２２】
制御部４は、反射特性算出部７による反射特性の算出と、反射特性修正部８による反射特性の修正と、特性インピーダンス分布算出部９による特性インピーダンス分布の算出と、特性インピーダンス分布修正部１０による特性インピーダンス分布の修正からなる一連の処理を繰り返し行わせる反復処理を実行するものである。
【００２３】
取得部２が取得した特性インピーダンス分布の制約条件が非常に厳しいものであり、特性インピーダンス分布修正部１０が特性インピーダンス算出部で算出された特性インピーダンス分布の値に対して非常に大きな修正を行うような場合、修正後の特性インピーダンス分布から算出される反射特性は取得部２が取得した反射規定値を満たさない可能性がある。このように、上記の一連の処理を一度だけ行っても所望の算出結果が得られない場合、反復処理を行い、算出される解としての特性インピーダンス分布や反射特性を収束させることにより、より設計の支援に効果的な算出結果を得ることができる。
【００２４】
検知手段５は、取得部２が取得した終了条件が満たされたことを検知し、制御部４の反復処理を終了させるものである。終了条件は例えば、反復処理を行う回数、目標とする反射特性および特性インピーダンス分布と算出結果の差、反復処理による算出結果の収束度等により定められる。
【００２５】
出力部６は、検知手段５により前記終了条件が満たされたことが検知された場合、反復処理において算出された特性インピーダンス分布を設計支援結果として出力するものである。
【００２６】
以上のように、本実施の形態における伝送路設計支援装置１は構成されている。
この伝送路設計支援装置１の各機能は、コンピュータにより実現される。図２は伝送路設計支援装置１を実現するコンピュータのハードウェア構成の例を示す構成図である。  図２に示したハードウェアには、ＣＰＵ（Ｃｅｎｔｒａｌ  Ｐｒｏｃｅｓｓｉｎｇ  Ｕｎｉｔ）等の処理装置１００とＲＯＭ（Ｒｅａｄ  Ｏｎｌｙ  Ｍｅｍｏｒｙ）やハードディスク等の記憶装置１０１、入力装置１０２が備えられている。
【００２７】
図１に示す取得部２は入力装置１０２により実現され、演算処理部３、制御部４、検知手段５、出力部６は、記憶装置１０１に記憶されたプログラムが処理装置１００で実行されることにより実現される。
なお、上述したように、取得部２は入力装置１０２ではなく、図示しない通信装置により実現する構成や記憶装置１０１に記憶されたプログラムが処理装置１００で実行されることにより実現される構成としても良い。
また、伝送路設計支援装置１の各機能を実現する方法は、上記したハードウェアとプログラムの組み合わせに限らず、処理装置にプログラムをインプリメントしたＬＳＩ（Ｌａｒｇｅ  Ｓｃａｌｅ  Ｉｎｔｅｇｒａｔｅｄ  Ｃｉｒｃｕｉｔ）のような、ハードウェア単体で実現するようにしてもよいし、一部の機能を専用のハードウェアで実現し、一部を処理装置とプログラムの組み合わせで実現するようにしてもよい。
【００２８】
次に、本実施の形態における伝送路設計支援装置１の動作について説明する。
【００２９】
図３は、設計対象となる伝送路を含むプリント基板の配線構成を示す構成図である。
プリント基板１１上に送信回路１２が実装され、プリント基板１３上に受信回路１４が実装されており、送信回路１２と受信回路１４は信号線１５、コネクタ１６ａ、コネクタ１６ｂ、信号線１７により接続されている。以下、コネクタ１６ａとコネクタ１６ｂを接続した状態をコネクタ１６と称する。本実施の形態では、信号線１５、コネクタ１６、信号線１７からなる伝送路の設計支援を行う。
【００３０】
図４は、本実施の形態における伝送路設計支援装置１により、伝送路の設計支援結果を求める動作を示すフローチャートである。
【００３１】
伝送路設計支援装置１が伝送路の設計支援結果を求める動作を開始すると、まずステップＳ１で、取得部２は、各種情報を取得する。すなわち、取得部２は、設計対象とする伝送路の反射規定値、当該伝送路の特性インピーダンス分布の制約条件、特性インピーダンス分布の初期分布、反復処理の終了条件を取得する。
本実施例における伝送路の反射規定値１８は、伝送路の反射特性の上限値であり、例えば図５に示されるようにステップ関数で定義される。
また、本実施例における特性インピーダンス分布の制約条件は、「特性インピーダンスが負値になることを禁止」、「コネクタ１６の特性インピーダンスの値を所定の値に固定」、「急激な特性インピーダンスの変化を禁止」の３つである。コネクタ１６の特性インピーダンスを固定する所定値は、設計対象の伝送路で使用するコネクタに応じて適宜設定する。また特性インピーダンスの変化も変化の傾きなどの上限値を決めることで設定する。
初期分布は、本実施例では信号線１５及び信号線１７の特性インピーダンスの値を５０Ω、コネクタの特性インピーダンスの値を４０Ωとする。
また、反復処理の終了条件は、反射特性算出部７が算出した反射特性と特性インピーダンス分布算出部９が算出した特性インピーダンス分布が、それぞれ取得部２で取得した反射規定値と制約条件とを一つのループ内で両方とも満たす状態になることである。ここで、ループとは反射特性算出部７による反射特性の算出、反射特性修正部８による反射特性の修正、特性インピーダンス分布算出部９による特性インピーダンス分布の算出、特性インピーダンス分布修正部１０による特性インピーダンス分布の修正からなる一連の処理のことであり、この一連の処理が反射特性算出部７から始まる場合、反射特性算出部７による算出から特性インピーダンス分布修正部１０が修正した特性インピーダンス分布を反射特性算出部７に出力するまでを一つのループとする。したがって、伝送路設計支援装置１内で上記ループを繰り返し行い、同じ一つのループにおいて、反射特性が反射規定値を満足し、かつ特性インピーダンス分布が制約条件を満足する状態になったときに、ループ処理を終了する。
【００３２】
次に、ステップＳ２で、反射特性算出部７は、入力された特性インピーダンス分布から反射特性をフーリエ変換により算出する。この反射特性算出部７に入力される特性インピーダンス分布は、最初のループにおいてのみ取得部２が取得した初期分布であり、それ以降のループにおいては、特性インピーダンス分布修正部１０が修正した特性インピーダンス分布である。
【００３３】
次にステップＳ３で、反射特性修正部８は、取得部２が取得した反射規定値に基づいて反射特性算出部７が算出した反射特性を修正する。具体的には、反射規定値を超えている周波数領域の反射特性の値を反射規定値に置き換える。
【００３４】
次にステップＳ４で、特性インピーダンス分布算出部９は、反射特性修正部８が修正した反射特性から特性インピーダンス分布を逆フーリエ変換により算出する。
【００３５】
次にステップＳ５で、特性インピーダンス分布修正部１０は、取得部２が取得した制約条件に基づいて特性インピーダンス分布算出部９が算出した特性インピーダンス分布を修正する。具体的には、負値となった箇所の特性インピーダンスの値を１Ωとし、コネクタが実装されている箇所の特性インピーダンスの値を４０Ωに置き換える。また、急激に特性インピーダンスが変化している箇所を緩やかな変化に修正する。
【００３６】
次にステップＳ６で、検知手段５は終了条件が満たされたかの検知を行う。終了条件が満たされていない場合、検知手段５は制御部４に終了条件が満たされていないことを通知する。制御部４は上記の通知を受信すると、制御をステップＳ２に戻し、反射特性算出部７による反射特性の算出を行わせ、これにより、ステップＳ２からステップＳ５までの処理が再度行われることになる。
検知手段５により、終了条件が満たされたことを検知するまで、ステップＳ２からステップＳ５までの処理が繰り返される反復処理が行われる。検知手段５が終了条件が満たされたことを検知した場合、検知手段５は制御部４に終了条件が満たされたことを通知することで制御部４は上記の通知を受信すると反復処理を終了し、ステップＳ７に進む。
【００３７】
そして、ステップＳ７において、出力部６は設計支援結果として特性インピーダンス分布算出部９で算出された特性インピーダンス分布を出力する。
【００３８】
以上のような伝送路設計支援装置１の動作により、反射規定値を満たす反射特性を有し、制約条件を満たす特性インピーダンス分布を効果的に模索でき、広い周波数範囲において周波数ごとに異なる反射規定値が定められた伝送路の設計を支援することができる。
【００３９】
本実施の形態に係る伝送路設計支援装置１の動作により得られる設計支援結果の例を図６と図７に示す。
【００４０】
図６は、設計支援結果として得られた特性インピーダンス分布を示す分布図である。
図６において、実線が設計支援結果として得られた特性インピーダンス分布１９、点線が初期分布２０であり、直線状になっている特性インピーダンス分布１９ａはコネクタが実装され、値が固定された箇所の特性インピーダンスである。
特性インピーダンスは厳密には複素数であるが、高周波帯では実数として扱うのが一般的であり、本実施の形態においても実数として扱った。また、特性インピーダンス分布算出部９で逆フーリエ変換により特性インピーダンス分布を算出する際に特性インピーダンス分布が実数となるような条件を課しても良い。
【００４１】
図７は、図６の特性インピーダンス分布１９に対応する反射特性２１を示す特性図である。縦軸は反射特性の絶対値をデシベル表記したものであり、式（１）のように表される。ここで、Ｓ１１は図６において位置０ｃｍの箇所の反射係数である。
【００４２】
【数１】
0006833148.tif 000002
【００４３】
図７において、点線は初期分布に対応する反射特性２２、実線が設計支援結果として得られた反射特性２１、一点鎖線が反射規定値１８であり、設計支援結果として得られた反射特性２１は全ての周波数領域において反射規定値１８を下回っていることが分かる。
【００４４】
なお、本実施の形態では、取得部２が特性インピーダンス分布の初期分布を取得し、その初期分布から反射特性算出部７が反射特性を算出し、その後、反射特性修正部８、特性インピーダンス分布算出部９、特性インピーダンス分布修正部１０の順に各部が各動作を行う構成としたが、取得部２が反射特性の初期値を取得し、その初期値から特性インピーダンス分布算出部９が特性インピーダンス分布を算出し、その後、特性インピーダンス分布修正部１０、反射特性算出部７、反射特性修正部８の順に各部が各動作を行う構成としても良い。
また、本実施の形態では、１本の線路からなる伝送路の設計支援結果を求める動作を示したが、２本の線路からなる伝送路にも適用可能である。つまり、ここでの特性インピーダンスとは当然ながら差動インピーダンスを含むものである。
また、本実施の形態における出力部６は、設計支援結果として特性インピーダンス分布算出部９が算出した特性インピーダンス分布を出力する構成としたが、出力部６が出力する設計支援結果はこれに限らず、例えば、特性インピーダンス分布修正部１０が修正した特性インピーダンス分布や特性インピーダンス分布算出部９が算出した特性インピーダンス分布を実現するための配線幅であってもよい。すなわち、取得部２は設計対象とする伝送路の誘電率や透磁率といった電磁的なパラメータを取得し、出力部６はそれらに基づき配線幅を算出し出力する構成であっても良い。
【００４５】
本発明は、伝送路に対して定められる反射規定値が反射特性の絶対値のみについて規定され、位相については不問である場合の伝送路の設計を支援する場合に、物理領域と周波数領域で既知の情報を補完しながら、フーリエ変換と逆フーリエ変換を繰り返し、各領域の適正値を求めるフーリエ反復法を適用することで、実現可能な伝送路の設計値を導くことが可能であることに着目したものである。
【産業上の利用可能性】
【００４６】
本発明に係る伝送路設計支援装置は伝送路の設計支援に適用可能である。
【符号の説明】
【００４７】
１  伝送路設計支援装置、２  取得部、３  演算処理部、４  制御部、５  検知手段、６  出力部、７  反射特性算出部、８  反射特性修正部、９  特性インピーダンス分布算出部、１０  特性インピーダンス分布修正部、１１  プリント基板、１２  送信回路、１３  プリント基板、１４  受信回路、１５  信号線、１６  コネクタ、１７  信号線、１８反射規定値、１９  特性インピーダンス分布、２０  初期分布、２１  反射特性、２２  反射特性、１００  処理装置、１０１  記憶装置、１０２  入力装置
【図１】
0006833148.tif 000003
【図２】
0006833148.tif 000004
【図３】
0006833148.tif 000005
【図４】
0006833148.tif 000006
【図５】
0006833148.tif 000007
【図６】
0006833148.tif 000008
【図７】
0006833148.tif 000009